(57)【要約】【課題】遊技球の流下態様振が斬新であり、趣向性が高く、遊技者の遊技意欲を長期間に亘って高く保持することが可能な遊技機を提供する。【解決手段】パチンコ機１は、遊技領域１６内に、複数の経路から遊技球が流下して転動する下ステージ７７が前下がりの傾斜状に設けられており、その下ステージ７７の下端に特定入賞口である非電動役物４０が設けられているとともに、下ステージ７７の上に、遊技球の流路を変化させる可動式の障害体であるバラン状体５１が設けられている。そして、パチンコ機１は、下ステージ７７を転動した遊技球をバラン状体５１に衝突させることによって、非電動役物４０への入賞に関連した遊技球の流路を変化させるようになっている。【選択図】図２
2020137952.tif 000002
【特許請求の範囲】
【請求項１】
遊技球が入賞可能な特定入賞口、および、開閉可能な入賞装置が遊技領域内に設けられており、前記特定入賞口に遊技球が入賞したことを契機として抽選を実施し、その抽選の結果が所定の結果である場合には、特別遊技状態が生起して前記入賞装置が開成することによって遊技者にとって有利となる遊技機であって、
遊技領域内に、複数の経路から遊技球が流下して転動するステージが前下がりの傾斜状に設けられており、そのステージの下端に前記特定入賞口が設けられているとともに、
前記ステージ上に、遊技球の流路を変化させる可動式の障害体が設けられていることを特徴とする遊技機。
【請求項２】
前記障害体が、所定の間隔で左右に不規則に往復動するものであることを特徴とする請求項１に記載の遊技機。
【請求項３】
前記ステージの上端際に、流下した遊技球の流路の幅を変更する流路幅変更役物が設けられており、その流路幅変更役物の前方に前記障害体が設けられていることを特徴とする請求項１または請求項２に記載の遊技機。
【請求項４】
前記特定入賞口が開閉式のものであり、かつ、その特定入賞口を開成させるための特定進入口が前記ステージに設けられているとともに、
そのステージ上を流下した遊技球が、往復動中の前記障害体に衝突した後に前記特定進入口へ進入する事態が起こり得るように構成されていることを特徴とする請求項１〜３のいずれかに記載の遊技機。
【発明の詳細な説明】
【技術分野】
【０００１】
本発明は、パチンコ機やスロットマシーン等の遊技機に関するものである。
【背景技術】
【０００２】
従来、遊技機の一種であるパチンコ機として、遊技球の流下態様に変化を持たせて趣向性を高める目的で、遊技球の流路を振り分けるための振分装置を遊技盤面に設けたものが知られている（特許文献１）。この特許文献１の振分装置は、モータによって一定のタイミングで回転する振分部材を備えており、遊技球が振分装置の進入口に進入すると、その遊技球が、回転している振分部材によって第１始動口または第２始動口の何れかに振り分けられるようになっている。
【先行技術文献】
【特許文献】
【０００３】
【特許文献１】特開２０１５−１２００６０号公報
【発明の概要】
【発明が解決しようとする課題】
【０００４】
しかしながら、上記特許文献１の如き振分装置を有するパチンコ機は、遊技球の流路を振り分ける振分部材の作動内容が単純であり、遊技球の流下態様に新鮮味がなく、遊技球の流下先を予測しやすいため、趣向性が低く、短期間の内に遊技者の遊技意欲を減退させてしまう、という不具合がある。
【０００５】
本発明の目的は、遊技球の流下態様振が斬新であり、趣向性が高く、遊技者の遊技意欲を長期間に亘って高く保持することが可能な遊技機を提供することにある。
【課題を解決するための手段】
【０００６】
上記目的を達成するために、本発明の内の請求項１に記載の発明は、遊技球が入賞可能な特定入賞口、および、開閉可能な入賞装置が遊技領域内に設けられており、前記特定入賞口に遊技球が入賞したことを契機として抽選を実施し、その抽選の結果が所定の結果である場合には、特別遊技状態が生起して前記入賞装置が開成することによって遊技者にとって有利となる遊技機であって、遊技領域内に、複数の経路から遊技球が流下して転動するステージが前下がりの傾斜状に設けられており、そのステージの下端に前記特定入賞口が設けられているとともに、前記ステージ上に、遊技球の流路を変化させる可動式の障害体が設けられていることを特徴とするものである。
【０００７】
請求項２に記載の発明は、請求項１に記載の発明において、前記障害体が、所定の間隔で左右に不規則に往復動するものであることを特徴とするものである。
【０００８】
請求項３に記載の発明は、請求項１または請求項２に記載の発明において、前記ステージの上端際に、流下した遊技球の流路の幅を変更する流路幅変更役物が設けられており、その流路幅変更役物の前方に前記障害体が設けられていることを特徴とするものである。
【０００９】
請求項４に記載の発明は、請求項１〜３のいずれかに記載の発明において、前記特定入賞口が開閉式のものであり、かつ、その特定入賞口を開成させるための特定進入口が前記ステージに設けられているとともに、そのステージ上を流下した遊技球が、往復動中の前記障害体に衝突した後に前記特定進入口へ進入する事態が起こり得るように構成されていることを特徴とするものである。
【発明の効果】
【００１０】
請求項１に記載の遊技機は、ステージを転動した遊技球を可動式の障害体に衝突させることによって、特定入賞口への入賞に関連した遊技球の流路を変化させるものであり、ステージ上での遊技球の流下態様がバラエティに富んでおり、転動後に特定入賞口へ入賞するか否かを予測し難いものであるので、遊技内容がスリリングであり、趣向性が高く、遊技者の遊技意欲を長期間に亘って高く保持することができる。
【００１１】
請求項２に記載の遊技機は、ステージを転動した遊技球を不規則に往復動する障害体に衝突させることによって遊技球の流路を変化させるものであるため、ステージ上での遊技球の流下態様が非常にバラエティに富んでいる。
【００１２】
請求項３に記載の遊技機は、ステージを転動する遊技球の流路を流路幅変更役物によって多様化させた後に障害体に衝突させることによって変化させるものであり、ステージ上での遊技球の流下態様がきわめてバラエティに富んでいる。
【００１３】
請求項４に記載の遊技機は、特定入賞口が開閉式のものであり、ステージ上を流下した遊技球が往復動中の障害体に衝突した後に特定進入口へ進入して特定入賞口を開成させる契機となる事態が起こり得るので、遊技球の流下態様がこの上なく趣向性に富んでおり、遊技者の遊技意欲をきわめて長期間に亘って高く保持することができる。
【図面の簡単な説明】
【００１４】
【図１】パチンコ機を示す説明図（正面図）である。
【図２】遊技盤を示す説明図（正面図）である。
【図３】パチンコ機を示す説明図（背面図）である。
【図４】センター役物を示す説明図（前方斜視図）である。
【図５】センター役物の下側の部分を示す説明図（正面図）である。
【図６】バラン状体を左右に揺動させるためのソレノイドへの電源投入パターンを示す説明図である。
【図７】流路幅変更役物の２つの可動体が離反した状態を示す説明図である。
【図８】流路幅変更役物の２つの可動体が近接した状態を示す説明図である。
【図９】センター役物の遊技球の流下態様を示す説明図である。
【発明を実施するための形態】
【００１５】
以下、本発明の遊技機の一実施形態であるパチンコ機について、図面に基づいて詳細に説明する。
【００１６】
＜パチンコ機の構造＞
図１〜３は、それぞれ、パチンコ機１を前面側から示した説明図、遊技盤２を前面側から示した説明図、パチンコ機１を後面側から示した説明図である。パチンコ機１は、遊技盤２の前面に形成された遊技領域１６内へ遊技球を打ち込み、遊技領域１６内を流下させて遊技するものであって、遊技盤２は、支持体として機能する機枠３の前面上部に、金属製のフレーム部材であるミドル枠５を介して設置されている。また、遊技盤２の前方には、ガラス板を支持してなる前扉４が、機枠３に左端縁を軸として片開き可能に蝶着されており、その前扉４によって閉塞される遊技盤２の前方空間が遊技領域１６とされている。
【００１７】
図２に示されるように、当該遊技領域１６は、遊技盤２の前面に円弧状に配設された外レール２３および内レール２４等によって囲まれており、遊技領域１６の左部における両レール２３，２４の間が遊技球を遊技領域１６内へ打ち込むための発射通路１３とされている。また、遊技領域１６の中央やや上寄りとなる位置には、「０」〜「９」の数字からなる装飾図柄やキャラクター等を表示するための演出用表示部６、演出用表示部６の下辺に沿って左右方向に延設されており、その上面を遊技球が左右に転動可能な上ステージ３６、および、遊技領域１６内を流下する遊技球を上ステージ３６上へ導くためのワープ通路３７等を有する表示部材３８が設置されている。
【００１８】
さらに、表示部材３８の下方における遊技領域１６の中央部から下部には、遊技球が進入可能な進入口３１、進入口３１に進入した遊技球を左右の遊技球通路３３，３４へ振り分けて流下させる第二振分装置８１、遊技球通路３４へ導かれた遊技球を略一定時間滞留させて排出させるクルーン３０、遊技球が入賞すると内部抽選の契機となる非電動役物４０、始動口２２、遊技球が転動可能に前下がりの傾斜状に設けられた下ステージ７７、当該下ステージ７７の左側に左右に揺動可能に設置された障害体であるバラン状体５１、および、左右にスライドする一対のスライド体４１Ａ，４１Ｂ（可動体）を有するマグロを模した流路幅変更役物７１等を備えたセンター部材２６が設置されている。
また、下ステージの右サイドには、遊技球が進入することによって非電動役物４０を開成させる契機となる作動口１９が、遊技球の直径より一回り大きな円形状（すなわち、遊技球の直径より１．０ｍｍ大きな円形状）に設けられている。
【００１９】
一方、表示部材３８およびセンター部材２６の左方には、遊技球が流下可能で、遊技球が入賞可能な入賞部材３９，３９が設置された左打ち用スペースＳＬが形成されており、この左打ち用スペースＳＬを流下させることで、ワープ通路３７への進入（すなわち、上ステージ３６上への誘導）や進入口３１への進入（すなわち、センター部材２６への進入）を効率良く狙えるようになっている。一方、表示部材３８およびセンター部材２６の右方にも遊技球が流下可能な右打ち用スペースＳＲが形成されている。この右打ち用スペースＳＲには、遊技球が通過可能なゲート部材２０、大入賞装置として機能する一対の可動片（扉部材）を有するチューリップ式電動役物１７、所謂「大当たり状態」において交互に開閉する２つの可動入賞装置１８Ａ，１８Ｂが設置されている。そして、遊技球を右打ち用スペースＳＲへ流下させることで、ゲート部材２０を通過させたり、開動作しているチューリップ式電動役物１７へ遊技球を入賞させたり、開成している可動入賞装置１８Ａ，１８Ｂへ遊技球を入賞させたりすることができるようになっている。なお、左打ち用スペースＳＬや右打ち用スペースＳＲには、多数の遊技釘が植設されている。また、遊技領域１６外となる遊技盤２の右下部には、第１特別図柄および第２特別図柄をそれぞれ別個に表示可能とした特別図柄表示部７８が設けられている。
【００２０】
また、図１の如く、機枠３の前面側であって上記遊技盤２の下方には、発射装置１０へ供給する遊技球を貯留するための供給皿７、および、供給皿７から溢れた遊技球を貯留するための貯留皿８が取り付けられており、供給皿７は前扉４の開放に伴い、貯留皿８はミドル枠５の開放に伴い、それぞれ機枠３に対して片開き可能となっている。さらに、貯留皿８の右側には、発射装置１０を作動させ、遊技球の遊技領域１６への打ち込み強度を調整するためのハンドル９が回動操作可能に設置されている。加えて、供給皿７の前方には、遊技者が任意に押し込み操作可能な遊技ボタン２５が設けられている。さらに、前扉４の上部には、効果音や各種メッセージ等を報音する一対のスピーカ１４，１４が設けられている。加えて、前扉４の左右両側部には、パチンコ機１の遊技状態等に応じて点灯・点滅する複数のＬＥＤを内蔵したランプ部材１５，１５・・が設けられている。
【００２１】
一方、図３の如く、機枠３の後面側には、供給皿７へ貸球や賞品球として払い出される遊技球を貯留するための貯留タンク１１、当該貯留タンク１１と連結された払出装置１２、払出装置１２における払い出し動作を制御する払出制御装置２８、および、各制御基板や装置・部材に電源電圧を供給するための電源装置２９等が設置されている。また、機枠３の後面側の中央上部には、合成樹脂製の箱状に形成されたセンターカバー２１が装着されており、当該センターカバー２１の内部には、遊技に係る主たる制御（たとえば、所謂「大当たり抽選」等）を実行するためのメイン制御装置６１、演出用表示部６における表示動作等を制御する表示制御装置６３、ランプ部材１５の点灯／点滅動作等を制御する発光制御装置６４、スピーカ１４からの報音動作を制御する音制御装置６５、および、表示制御装置６３や音制御装置６５等の動作を統合的に制御するサブ制御装置６２等が設置されている。なお、メイン制御装置６１は、特定入賞口である非電動役物４０、始動口２２の入賞検知センサ（図示せず）、バラン状体５１の駆動装置であるソレノイド５３（図５参照）等とインターフェイスを介して接続されている。
【００２２】
また、図４、図５は、センター部材２６を示したものであり、センター部材２６内の下ステージ７７の上端際に、流路幅変更役物７１が設けられている。流路幅変更役物７１は、可動体である左右の２つのスライド体４１Ａ，４１Ｂが、遊技球略１個分の距離を隔てて左右に対峙した状態になっており、それらのスライド体４１Ａ，４１Ｂが、下側に内蔵された駆動装置であるステッピングモータ（図示せず）によって、中心に対して近接・離反するようにスライド可能になっている。そして、それらの各スライド体４１Ａ，４１Ｂの前端縁際には、それぞれ、魚の鰭に似た形状を有する突片４４ａ，４４ｂが前方へ突出するように設けられている。
【００２３】
また、当該流路幅変更役物７１は、メイン制御装置６１からの指令に基づいて、センター部材２６へ遊技球が進入したか否かや何れの遊技状態であるか等に拘わらず、電源投入時から一定の動作パターンにしたがって、常時、スライド体４１Ａ，４１Ｂを動作させる（近接・離反させる）ようになっている。それゆえ、センター部材２６へ進入した遊技球が、流路幅変更役物７１に到達すると、流路幅変更役物７１の動作状況に応じて、下ステージ７７の中央を前方へ直進したり、左右外寄りを転動したりするようになっている。
【００２４】
また、流路幅変更役物７１の上方には、遊技球が通過可能な通路部材６０が設けられている。通路部材６０は、センター部材２６の左側に設けられた遊技球流路３２Ａと、右側に設けられた遊技球流路３２Ｂとを、左右方向で繋ぐように配設されている。当該通路部材６０は、略中央の部分の高さが最も低くなっている（正面視が緩やかなＶ字状になっている）とともに、当該位置で通路部材６０の後壁が切り欠かれており、通路部材６０を流下する遊技球がきわめて高い確率で、その切り欠き位置から流路幅変更役物７１へ、特にスライド体４１Ａ，４１Ｂ同士の間の遊技球通路上へ落球するようになっている。
【００２５】
そして、上記の如く遊技球が始動口２２あるいは非電動役物４０に入賞すると、メイン制御装置６１によって内部抽選（所謂、「大当たり抽選」）が実行され、その「大当たり抽選」の結果が「大当たり」になると、特別図柄表示部７８および演出用表示部６にそれぞれ所定の「大当たり図柄」が確定表示される（たとえば、演出用表示部６に「７，７」が表示される）とともに、振分機構８２の右側に設けられた大入賞装置であるチューリップ式電動役物１７が所定の回数だけ断続的に開成する（左右一対の扉部材が、それぞれ外方向に傾動する）。したがって、「大当たり状態」が生起した場合には、遊技者は、きわめて高い確率で多くの遊技球を獲得することが可能となる。
【００２６】
＜パチンコ機の特徴部分の説明＞
上述の如く、センター部材２６の内部の下端際には、下ステージ７７が前下がりの傾斜状に設けられており、その下ステージ７７の後端際の中央に、流路幅変更役物７１が左右一対のスライド体４１Ａ，４１Ｂを近接・離反可能に設けられている。また、下ステージ７７の前端際の中央には、遊技球の入賞によって後述する内部抽選を実行させる特定入賞口である非電動役物４０が設けられている。そして、下ステージ７７の前後方向の略中間位置で左端縁際に、遊技球の流路を変化させる可動式の障害体であるバラン状体５１が設けられている。なお、下ステージ７７の右端縁際（下ステージ７７の中央に対してバラン状体５１と対称な位置）には、バラン状体５１の上部（下ステージ７７から突出した部分）と対称な形状を有する突起体５４が固着されている（当該突起体５４は可動しない）。
【００２７】
バラン状体５１は、上側の部分が、バラン（寿司桶の内部で寿司ネタ同士の間に入れる仕切り）を模した形状を有しており、下側の部分（係合部５２）が、駆動装置であるソレノイド５３のシリンダの先端に係合された状態になっている。そして、当該バラン状体５１は、電源投入時から、常時、センター部材２６へ遊技球が進入したか否かや何れの遊技状態であるか等に拘わらず、メイン制御装置６１からの指令に基づき、ソレノイド５３によって一定の動作パターンにしたがって、不規則なタイミングで左右方向に往復動するようになっている。
【００２８】
そのようにバラン状体５１を左右に揺動させるためのソレノイド９１への電源投入のタイミングは、メイン制御装置６１の記憶手段に記憶されている電源投入パターンにしたがって制御される。図６は、その電源投入パターンを示したものであり、パチンコ機１に電源が供給されると、Ｓ（ステップ）１で、ソレノイドに０．０８秒間電源が投入されることによって、バラン状体５１が右側へスライドする。なお、バラン状体５１は、係合部５２が切り欠き５５の端縁に接触するまでスライドする（すなわち、バラン状体５１のスライド距離は、切り欠き５５によって制限されている）。
【００２９】
上記の如くバラン状体５１が右側へスライドした後には、Ｓ２で、ソレノイドへの電源投入が０．４８秒遮断されることにより、バラン状体５１がソレノイドのバネ（図示せず）の付勢力によって、左側にスライドして元の位置に復帰し、その状態を保持する。さらに、そのようにバラン状体５１が左側の位置で停止状態を保持した後には、Ｓ３で、ソレノイドに０．０８秒間電源が投入されることによって、バラン状体５１が右側へスライドする。さらに、そのようにバラン状体５１が右側へスライドした後には、Ｓ４で、ソレノイドへの電源投入が０．５６秒遮断されることにより、バラン状体５１がソレノイドのバネの付勢力によって、左側にスライドして元の位置に復帰し、その状態を保持する。そして、バラン状体５１は、上記の如きソレノイドへの通電・遮断による左右方向への往復動を、電源投入パターンのＳ１〜Ｓ３０に基づいて実行し、パチンコ機１への電源供給が遮断されるまで（たとえば、ホールの閉店時まで）、電源投入パターンのＳ１〜Ｓ３０に基づく左右方向への往復動を繰り返し実行する。
【００３０】
＜パチンコ機の遊技内容＞
上記の如く構成されたパチンコ機１においては、遊技者は、ハンドル９を回動操作して発射装置１０を作動させ、発射通路１３を介して遊技球を遊技領域１６内へ打ち込み、遊技領域１６を流下させてセンター部材２６の進入口３１内への進入（入賞）を狙う。そして、進入口３１内への進入（入賞）した遊技球が、進入口３１内を流下する途中で、始動口２２あるいは非電動役物４０に入賞すると、メイン制御装置６１によって内部抽選（所謂、「大当たり抽選」）が実行され、その「大当たり抽選」の結果が「大当たり」になると、特別図柄表示部７８および演出用表示部６にそれぞれ所定の「大当たり図柄」が確定表示される（たとえば、演出用表示部６に「７，７」が表示される）とともに、振分機構８２の右側に設けられた大入賞装置であるチューリップ式電動役物１７が所定の回数だけ断続的に開成する（左右一対の扉部材が、それぞれ外方向に傾動する）。したがって、「大当たり状態」が生起した場合には、遊技者は、きわめて高い確率で多くの遊技球を獲得することが可能となる。
【００３１】
また、非電動役物４０は、ステージ上に穿設された作動口１９内に遊技球が進入した場合には開成し（左右一対の扉体４６，４６の上部が互いに離反するように開成し）、上部の開口部４５の左右の外側からも遊技球を進入させることが可能となる。反対に、開成した状態の非電動役物４０に遊技球が進入（開口部４５あるいは開口部４５の左右の外側から進入）すると非電動役物４０は閉成した状態（左右一対の扉体４６，４６の上部を互いに接近させた状態、図５等参照）となる
【００３２】
また、遊技球がセンター部材２６の進入口３１へ入賞すると、センター部材２６の各部材によって、その後の遊技球の流路が、非常にバラエティに富んだ態様で変化する。すなわち、センター部材２６の進入口３１へ入賞した遊技球は、第二振分装置８１によって、遊技球通路３３，３４を経由して、左側の遊技球流路３２Ａあるいは右側の遊技球流路３２Ｂに振り分けられる（なお、第二振分装置８１は、遊技球が単発で進入口３１へ入賞したときは、当該遊技球を左側の遊技球流路３２Ａに振り分け、遊技球が２個以上連続して進入口３１へ入賞したときは、２個目以降の遊技球を右側の遊技球流路３２Ｂに振り分ける）ようになっている。そして、進入口３１に入賞した遊技球が、右側の遊技球流路３２Ｂに振り分けられると、その遊技球は、クルーン３０に導かれた後に寿司ネタ状突起体４８に衝突して、一部が始動口２２に入り込み、それ以外の遊技球は、通路部材６０に導かれる。
【００３３】
上記の如く通路部材６０に導かれた遊技球は、流路幅変更役物７１の左右一対のスライド体４１Ａ，４１Ｂの隙間に入り込んだ後に下ステージ７７の上に導かれて、下ステージ７７の上を後方から前方へ流下する。また、流路幅変更役物７１は、左右一対のスライド体４１Ａ，４１Ｂが隙間を拡げたり狭めたりするように作動しているため、下ステージ７７の上を転動する（流下する）遊技球の流下態様が変化する。
【００３４】
すなわち、通路部材６０を流下する遊技球が流路幅変更役物７１側へ落球した際に、図７の如く、スライド体４１Ａ，４１Ｂが互いに離反する方向へスライドしていたり、最も近接する状態までには多くの時間がかかるような状況であると、流路幅変更役物７１における遊技球通路の左右幅は、遊技球に対して十分広くなっている。かかる場合には、スライド体４１Ａ，４１Ｂの間の下側に位置した床体４２の上面が傾斜面になっていることも作用して、スライド体４１Ａ，４１Ｂの間に落球した遊技球が、左右にばたつきながら、高い確率で床体４２の左右外寄りから下ステージ７７の上へ転がり出る。したがって、遊技球が非電動役物４０へ入賞する確率が低くなる。
【００３５】
一方、通路部材６０を流下する遊技球が流路幅変更役物７１側へ落球した際に、図８の如く、スライド体４１Ａ，４１Ｂが互いに近接する方向へスライドしており、最も近接した状態となるまでの所要時間が短いような状況であると、スライド体４１Ａ，４１Ｂの間に落球した遊技球が、スライド体４１Ａ，４１Ｂの内側の鉛直面同士に挟まれる格好となって、床体４２の中央部分で落ち着き、高い確率で、そのまま誘導路７６を介して下ステージ７７の上面の中央へ転がり出る。したがって、遊技球が非電動役物４０へ入賞する確率が高くなる。なお、通路部材６０から流路幅変更役物７１の方向へ落球する遊技球は、必ずしもスライド体４１Ａ，４１Ｂ同士の間に落球するわけではなく、それ以外の場所を経由して下ステージ７７の上に落ちるような状況も起こり得る。
【００３６】
一方、センター部材２６の進入口３１へ入賞した遊技球が、第二振分装置８１によって、センター部材２６の左側に設けられた遊技球流路３２Ａに振り分けられると、その遊技球の内の一部が通路部材６０に導かれ、それ以外の遊技球は、遊技球流路３２Ａの下側に設けられた下部導球路４３から、流路幅変更役物７１の干渉を受けることなく直接的に下ステージ７７の上に導かれる。なお、通路部材６０に導かれた遊技球は、遊技球流路３２Ｂに振り分けられた場合と同様に、流路幅変更役物７１の左右一対のスライド体４１Ａ，４１Ｂの間に入り込んだ後に下ステージ７７の上に導かれて、下ステージ７７の上を後方から前方へ転動する（流下する）。
【００３７】
そして、流路幅変更役物７１を介して下ステージ７７の上に導かれた遊技球、および、流路幅変更役物７１の干渉を受けることなく直接的に下ステージ７７の上に導かれた遊技球は、下ステージ７７の上を後方から前方へ転動し、その一部が、左右に往復動しているバラン状体５１に衝突して、流下方向を変化させる。そのため、非電動役物４０の開口部４５の方向に流下していた遊技球が、バラン状体５１に衝突して入賞しない事態や、反対に、非電動役物４０の開口部４５とは違う方向に流下していた遊技球が、バラン状体５１に衝突して非電動役物４０へ入賞する事態が発生する。
【００３８】
また、センター部材２６の進入口３１へ入賞した遊技球が、下部導球路４３を介して（流路幅変更役物７１の干渉を受けることなく）直接的に下ステージ７７の上に導かれた場合には、図９の如く、その内の一部の遊技球が、左右に往復動しているスライド体４１Ａの突片４４ａに衝突して流下方向を変化させた後に、バラン状体５１に衝突して様々な方向に流下方向を変化させる。その結果、バラン状体５１に衝突した後の遊技球が、非電動役物４０の開口部４５の左側から排出口（すなわち、遊技球をセンター部材２６外へ流下させる進入口）４７へ導かれたり（経路α）、開口部４５から非電動役物４０内へ進入したり（経路β）、開口部４５の右側から排出口４７へ導かれたり（経路γ）、作動口１９内へ進入したり（経路δ）、左右に往復動しているスライド体４１Ｂの突片４４ｂに衝突したり（経路ε）する等の様々な事態が起こり得る。なお、パチンコ機１においては、上記の如く、下部導球路４３を介して下ステージ７７の上に導かれてスライド体４１Ａの突片４４ａに衝突した後にバラン状体５１に衝突して作動口１９内に進入する遊技球の割合が、他の流下態様で作動口１９内に進入する遊技球の割合よりも高くなるように各部材の形状や構造等が調整されている。
【００３９】
そして、結果的に遊技球が非電動役物４０に入賞すると、上記したようにメイン制御装置６１によって内部抽選が実行されて、「大当たり」が生起し得る。したがって、センター部材２６内の遊技球の流下態様に、遊技者の高い関心が寄せられることとなる。
【００４０】
＜パチンコ機の効果＞
パチンコ機１は、上記の如く、遊技領域１６内に、複数の経路から遊技球が流下して転動する下ステージ７７が前下がりの傾斜状に設けられており、その下ステージ７７の下端に特定入賞口である非電動役物４０が設けられているとともに、下ステージ７７の上に、遊技球の流路を変化させる可動式の障害体であるバラン状体５１が設けられており、下ステージ７７を転動した遊技球をバラン状体５１に衝突させることによって、非電動役物４０への入賞に関連した遊技球の流路を変化させるようになっている。それゆえ、パチンコ機１は、下ステージ７７の上での遊技球の流下態様がバラエティに富んでおり、転動後に非電動役物装置４０へ入賞するか否かを予測し難いものであるので、遊技内容がスリリングであり、趣向性が高く、遊技者の遊技意欲を長期間に亘って高く保持することが可能である。
【００４１】
また、パチンコ機１は、上記の如く、バラン状体５１が所定の間隔で左右に不規則に往復動するものであり、そのバラン状体５１に下ステージ７７を転動した遊技球を衝突させることによって遊技球の流路を変化させるものであるため、下ステージ７７の上での遊技球の流下態様がよりバラエティに富んだものとなっている。
【００４２】
さらに、パチンコ機１は、上記の如く、下ステージ７７の上端際に、流下した遊技球の流路の幅を変更する流路幅変更役物７１が設けられており、その流路幅変更役物７１の前方にバラン状体５１が設けられており、下ステージ７７を転動する遊技球の流路を、流路幅変更役物７１によって多様化させた後にバラン状体５１に衝突させることによって変化させるものであるため、下ステージ７７の上での遊技球の流下態様が一段とバラエティに富んだものとなっており、流下後に非電動役物装置４０へ入賞するか否かをきわめて予測し難いものになっている。
【００４３】
加えて、パチンコ機１は、上記の如く、非電動役物装置４０が開閉式のものであり、かつ、その非電動役物装置４０を開成させるための特定進入口である作動口１９が下ステージ７７に設けられているとともに、その下ステージ７７上を流下した遊技球が、往復動中のバラン状体５１に衝突した後に作動口１９へ進入する事態が起こり得るように構成されているため、遊技球の流下態様がこの上なく趣向性に富んでおり、遊技者の遊技意欲をきわめて長期間に亘って高く保持することができる。
【００４４】
＜遊技機の変更例＞
なお、本発明に係る遊技機の構成は、上記実施形態の構成に何ら限定されるものではなく、障害体（バラン状体）、障害体の駆動用の駆動装置、流路幅変更役物、始動口、非電動役物、可動式入賞装置、演出表示部等の形状、構造等の構成や、「大当たり状態」の生起時の作動内容等の遊技内容等を、本発明の趣旨を逸脱しない範囲で必要に応じて適宜変更することができる。
【００４５】
たとえば、本発明に係る遊技機は、上記実施形態の如く、障害体であるバラン状体が単純に左右に往復動するものに限定されず、バラン状体が前後動するものや回動するもの等に変更することも可能である。また、本発明に係る遊技機は、上記実施形態の如く、バラン状体がソレノイドによって作動するものに限定されず、ステッピングモータ等の別の駆動装置によって作動するもの等に変更することも可能である。さらに、本発明に係る遊技機は、上記実施形態の如く、単一のバラン状体が作動するものに限定されず、複数のバラン状体が作動するものに変更することも可能である。
【００４６】
なお、特許請求の範囲、明細書および図面に記載される全ての要素（たとえば、障害体（バラン状体）、流路幅変更役物、非電動役物装置、始動口、振分機構等）は、個数を意識的に限定する明確な記載がない限り、物理的に単一であっても複数であっても構わないし、適宜配置の変更が行われても構わない。また、特許請求の範囲や明細書等で使用している要素名（要素につけた名称）は、単に本件の記載のために便宜上付与したにすぎないものであり、それによって特別な意味が生じることを特に意識したものではない。すなわち、要素名のみによって要素が何であるかが限定解釈されるものではない。さらには、上述した全ての要素のうちの複数の要素を一体的に構成するか、もしくは一つの要素を複数の要素に分けて構成するかは、あえて特許請求の範囲等において特定していない限り、いずれも当業者であればきわめて容易に考えられる事項であるため、あえて明細書等において全パターンを記載しなくてもいずれのパターンも想定範囲内であることが明らかであることから、本発明に係る権利範囲に含まれることに疑いの余地はない。したがって、その程度の範囲内での構成上の差異しかない遊技機を、本実施例に記載がなされていないことを理由にするのみでは、本発明に係る権利を回避したことにはならない。その他、各要素の構成や形状等における、本実施例から当業者であれば容易に考えられる自明な範囲の差異についても同様である。
【符号の説明】
【００４７】
１・・パチンコ機（遊技機）
１６・・遊技領域
１８Ａ，Ｂ・・可動式入賞装置
１９・・作動口（特定進入口）
２２・・始動口（特定入賞口）
４０・・非電動役物（特定入賞口）
５１・・バラン状体（障害体）
５３・・ソレノイド（駆動装置）
６１・・メイン制御装置
７１・・流路幅変更役物
７７・・下ステージ
【図１】
2020137952.tif 000003
【図２】
2020137952.tif 000004
【図３】
2020137952.tif 000005
【図４】
2020137952.tif 000006
【図５】
2020137952.tif 000007
【図６】
2020137952.tif 000008
【図７】
2020137952.tif 000009
【図８】
2020137952.tif 000010
【図９】
2020137952.tif 000011